(57)【要約】【課題】光記録媒体の種類に応じて光学素子の配置等の光学的な条件を切換えることによって、記録再生用の波長、基板厚等々が異なる異種規格のディスク状記録媒体に対応できるようにした光ピックアップを備えた光ディスクドライブ装置において、光学素子を光路上から進退可能、回動可能、光軸方向に進退可能に構成する際に、装置の大型化、高コスト化を招く原因となる格別の駆動手段、アクチュエータを設けることなく、光学素子の移動を可能とする。【解決手段】光ピックアップ１は、移動または回動可能に保持された可動光学素子を備えると共に、光ピックアップが記録領域Ａを越えた退避位置Ｂにある時に可動光学素子を直接または間接的に動作させる押当部材５を備え、シーク手段Ｓにより退避位置に光ピックアップを移動させ、可動光学素子を直接または間接的に押当部材５により動作させることにより、光ピックアップ内の光学的条件を変更する。【選択図】　　　図１
2004118879.tif 000002
【特許請求の範囲】
【請求項１】
記録、再生用のレーザー光を出射する光源、該光源から出射されたレーザー光の光路上に配置された光学素子、及び該レーザー光を集光して光記録媒体に照射する対物レンズ、を備えた光ピックアップと、該光ピックアップを光記録媒体上の記録領域を超えてシーク方向へ進退させるシーク手段と、を備えた光ディスクドライブ装置において、
前記光ピックアップは、移動または回動可能に保持された可動光学素子を備えると共に、前記光ピックアップが前記記録領域を越えた退避位置にある時に該可動光学素子を直接または間接的に動作させる押当部材を備え、
前記シーク手段により前記退避位置に光ピックアップを移動させ、該可動光学素子を直接または間接的に該押当部材により動作させることにより、光ピックアップ内の光学的条件を変更することを特徴とする光ディスクドライブ装置。
【請求項２】
前記可動光学素子は球面収差補正レンズであり、該球面収差補正レンズを前記光路内外へ進退可能に保持するレンズ保持手段を備え、前記シーク手段により該レンズ保持手段を直接または間接的に前記押当部材に押当てすることにより、該球面収差補正用レンズを光路内外へ進退させることを特徴とする請求項１に記載の光ディスクドライブ装置。
【請求項３】
前記可動光学素子は球面収差補正レンズであり、該球面収差補正レンズはレンズ保持手段によって回動可能に保持され、前記シーク手段により該補正レンズ保持手段を直接または間接的に前記押当部材に押当てすることにより、該球面収差補正用レンズを光路内で回動させることを特徴とする請求項１に記載の光ディスクドライブ装置。
【請求項４】
前記可動光学素子は光軸方向へ進退することにより球面収差補正を行うことができる少なくとも一枚のレンズであって、該レンズはレンズ保持手段によって光軸方向に移動可能に保持され、前記シーク手段により該レンズ保持手段を直接または間接的に前記押当部材に押当てすることにより、該レンズを光軸方向に移動させて球面収差補正を行うことを特徴とする請求項１に記載の光ディスクドライブ装置。
【請求項５】
前記可動光学素子は、異なる波長を発振して同方向へ出射する複数のレーザー光源であり、該複数のレーザー光源はレーザー光源保持手段により発振方向と直交する方向に移動可能に保持され、該レーザー光源保持手段を直接または間接的に前記押当部材に押当てすることにより、該レーザー光源保持手段を移動させて使用する発振レーザー光源を切換えることを特徴とする請求項１に記載の光ディスクドライブ装置。
【請求項６】
前記押当部材に押当てて駆動する可動光学素子、或いは可動部品の少なくとも一つを、振り替わりバネにより付勢することを特徴とする請求項１乃至５の何れか一項に記載の光ディスクドライブ装置。
【請求項７】
前記シーク手段により前記光ピックアップを光記録媒体の内周方向または外周方向へ移動させて夫々前記押当部材に押当てさせることにより、前記可動光学素子の切換えを行うことを特徴とする請求項１乃至６の何れか一項に記載の光ディスクドライブ装置。
【請求項８】
可動部品を段階的に係止したり係止解除することができる多段階作動機構を備え、３段階以上の切換えが行えることを特徴とする請求項１乃至７に記載の光ディスクドライブ装置。
【請求項９】
前記光ピックアップを、光記録媒体の内周側の押当部材、或いは外周側の押当部材の何れに押当てたとしても、前記可動光学素子の状態切換えを行えることを特徴とする請求項１乃至８に記載の光ディスクドライブ装置。
【請求項１０】
前記シーク手段による広い動作範囲を粗動範囲とし、前記押当部材に近接した狭い動作範囲を微動手段による微動範囲とし、
前記シーク手段は、前記微動手段と共に該可動光学素子を駆動することを特徴とする請求項１乃至９に記載の光ディスクドライブ装置。
【請求項１１】
前記可動光学素子、及び前記可動部品の可動範囲を規制する調整機構を備えたことを特徴とする請求項１乃至１０に記載の光ディスクドライブ装置。
【請求項１２】
複数の記録層を備えた光記録媒体の記録層を切換えて読取る前に、先の記録層上の記録情報を先行して読取る先行読取り手段と、先行して読取った記録情報を蓄える情報バッファ手段と、前記シーク手段による切換え動作の間に該情報バッファ手段から先行読取り情報を再生手段に転送する情報転送手段と、を備えたことを特徴とする請求項１に記載の光ディスクドライブ装置。
【発明の詳細な説明】
【０００１】
【発明の属する技術分野】
本発明は、ＣＤ等の記録媒体に光スポットを投影して記録媒体に対する情報の記録再生を行う光学光ピックアップを備えた光ディスクドライブ装置の改良に関し、特に大型化をもたらす格別の駆動手段を用いることなく、光ピックアップ内の光学的配置を任意に変更できるようにした光ディスクドライブ装置に関する。
【０００２】
【従来の技術】
レーザー光を用いてＣＤ、ＤＶＤ等の光情報記録媒体上に情報の記録、再生を行う光ディスクドライブ装置は、レーザー光源から出射されたレーザー光のスポットを記録媒体の記録面に投影して記録、再生を行うための光ピックアップを備えている。
最近では、６５０ｎｍ付近の波長のレーザー光を使用するＤＶＤ（デジタル・バータサル・ディスク）と、７８０ｎｍ付近の波長を使用するＣＤ（コンパクト・ディスク）に対する記録再生が共に可能なタイプの光ピックアップが一般的である。
このように異種規格の記録媒体に対応可能な光ディスクドライブ装置にあっては、異なった種類の記録媒体に対応して記録再生を行うためや、光ピックアップ内部の温度上昇に伴う熱膨張による部品変形に起因した各光学素子の特性の変動を補正するために、光ピックアップ内の光学素子の光学的配置を変える必要が生じることがある。このように光学的配置を変えることにより光学的条件を変更するためには、光学素子を移動するための駆動手段が必要となるが、光ピックアップ内に光学素子移動のための専用アクチュエータを設けると、光ピックアップの大型化を回避できなくなる。さらに、アクチュエータのほかにも、駆動のための電源手段や、給電を行うための配線手段、制御手段が必要となり、ドライブ装置全体の大型化、コストアップを招く。
次に、ディスク基板厚の異なる異種規格の記録媒体に対する互換性を備えた光ピックアップを設計するためには、ディスク基板厚の違いに応じて発生する許容値を超えた球面収差を抑える必要がある。
また、複数の記録層を持つ記録媒体に対応するためには、記録再生を行う記録層に対する波面収差が所定値以下にならなくてはならない。
上記の課題を解決するために、光学的な条件を切換えることにより、球面収差を補正、低減する方法については多く提案されているが、光学的条件切換えのために別にアクチュエータを搭載すると、機器の大型化、コストアップを招く。
次に、従来例に係る特許文献は、次の如くである。
まず、特開平８−２１２５８３号公報（特許文献１）には、光源からの光路上から、球面収差補正手段（球面収差補正レンズ）を挿脱させることにより、異種規格のディスクに対応させるようにした技術が開示されている。球面収差補正手段を挿脱させる手段として、格別のアクチュエータ手段を用いる旨が開示されている。
特許第３２２３０７４号（特許文献２）には、補正レンズを光路内で回転させる構成が開示されており、レンズを回転させる手段として、格別のアクチュエータ手段が例示されている。
特許第２５０２８８４号（特許文献３）には、多層ディスクの球面収差等の補正手段として、回転可能なホログラム、光軸方向へ移動可能な透明性直角三角形ブロック等が開示されているが、これら補正手段を駆動するためのアクチュエータとしてはボイスコイルモータ等が示されている。
従って、何れの特許文献に記載された従来例においても、光ピックアップ内における光学的条件切換えのために格別のアクチュエータを搭載しているため、機器の大型化、コストアップを招くという不具合が発生することが明らかである。
【特許文献１】特開平８−２１２５８３号
【特許文献２】特許第３２２３０７４号
【特許文献３】特許第２５０２８８４号
【０００３】
【発明が解決しようとする課題】
本発明は上記に鑑みてなされたものであり、記録媒体の種類に応じて光学的な条件を切換えることによって、記録再生用の波長、基板厚等々が異なる異種規格のディスク状記録媒体に対応できるようにした光ピックアップを備えた光ディスクドライブ装置において、光学素子を光路上から進退可能させたり、回動させたり、或いは光軸方向に進退可能に構成する際に、装置の大型化、高コスト化を招く原因となる格別の駆動手段、アクチュエータを設けることなく、光学素子の移動を可能とした光ディスクドライブ装置を提供することを課題とする。
【０００４】
【課題を解決するための手段】
上記課題を解決するため、請求項１の発明は、記録、再生用のレーザー光を出射する光源、該光源から出射されたレーザー光の光路上に配置された光学素子、及び該レーザー光を集光して光記録媒体に照射する対物レンズ、を備えた光ピックアップと、該光ピックアップを光記録媒体上の記録領域を超えてシーク方向へ進退させるシーク手段と、を備えた光ディスクドライブ装置において、前記光ピックアップは、移動または回動可能に保持された可動光学素子を備えると共に、前記光ピックアップが前記記録領域を越えた退避位置にある時に該可動光学素子を直接または間接的に動作させる押当部材を備え、前記シーク手段により前記退避位置に光ピックアップを移動させ、該可動光学素子を直接または間接的に該押当部材により動作させることにより、光ピックアップ内の光学的条件を変更することを特徴とする。
ＣＤ系とＤＶＤのコンパチブル等、異種規格の媒体を一つの光ディスクドライブ装置で記録再生させる場合、光ピックアップ内部の温度上昇に伴う熱膨張による部品変形を補正するために、光ピックアップ内の光学的配置等の条件を変える必要が生じることがある。このときに内部の光学的条件を変えるためには可動光学素子を駆動するための駆動手段が必要となるが、光ピックアップ内に別のアクチュエータを設けると光ピックアップ部の大型化が避けられない。さらに、アクチュエータのほかにも、駆動するための電源手段や給電を行うための配線手段、制御手段が必要となり、装置全体の大型化、コストアップを招く。本発明では、光ピックアップのシーク動作に伴う駆動力を利用して化合光学素子を直接、或いは間接的に駆動することによって、光路内外への進退、回転動作等を行わせて光学的条件を変更するようにしたので、上記の如き不都合をもたらすことなく、所望の記録再生機能を維持することができる。
なお、可動光学素子とは、光路を構成する全ての部品、即ち、レンズ、ミラー、プリズムは勿論、レーザー光源をも含む概念である。
【０００５】
請求項２の発明は、前記可動光学素子は球面収差補正レンズであり、該球面収差補正レンズを前記光路内外へ進退可能に保持するレンズ保持手段を備え、前記シーク手段により該レンズ保持手段を直接または間接的に前記押当部材に押当てすることにより、該球面収差補正用レンズを光路内外へ進退させることを特徴とする。
異種規格の光記録媒体に対する互換性を持たせるためには、異なるディスク基板厚を取り扱う際に許容値を超える球面収差の発生を押さえなくてはならない。また、複数の記録層を持つ光記録媒体に対応するためには、読取りや記録を行う記録層に対する波面収差が所定値以下にならなくてはならない。この課題を解決する手段として、光学的な条件を切換えることにより、球面収差を補正、低減する方法については、多く提案されているが、光学的条件切換えのために格別のアクチュエータを搭載すると、機器の大型化、コストアップを招く。本発明では、既存のシーク手段により光ピックアップがシーク方向へ駆動される際の駆動力を利用して、球面収差補正用レンズを光路内外へ進退させるようにしたので、格別の駆動源、そのための電源等を追加する必要なく、異種規格の光記録媒体に対応可能な光ディスクドライブ装置を提供することができる。
請求項３の発明では、前記可動光学素子は球面収差補正レンズであり、該球面収差補正レンズはレンズ保持手段によって回動可能に保持され、前記シーク手段により該補正レンズ保持手段を直接または間接的に前記押当部材に押当てすることにより、該球面収差補正用レンズを光路内で回動させることを特徴とする。
球面収差補正用レンズを光路内外に進退させるためには該レンズの退避スペースを確保しなくてはならない。補正レンズを回転させる方が、中央部に光の強度を集中させることができる。
【０００６】
請求項４の発明は、前記可動光学素子は光軸方向へ進退することにより球面収差補正を行うことができる少なくとも一枚のレンズであって、該レンズはレンズ保持手段によって光軸方向に移動可能に保持され、前記シーク手段により該レンズ保持手段を直接または間接的に前記押当部材に押当てすることにより、該レンズを光軸方向に移動させて球面収差補正を行うことを特徴とする。
例えば、レーザー光を並行光にするコリメータレンズやビーム系を拡大するビームエキスパンダ等の可動光学素子を光軸方向に移動させることにより、球面収差補正を行う際に、シーク手段による光ピックアップの移動により生じる動力を利用して光軸方向へ移動させるので、大型化、コストアップ等の不具合を解消できる。
請求項５の発明は、前記可動光学素子は、異なる波長を発振して同方向へ出射する複数のレーザー光源であり、該複数のレーザー光源はレーザー光源保持手段により発振方向と直交する方向に移動可能に保持され、該レーザー光源保持手段を直接または間接的に前記押当部材に押当てすることにより、該レーザー光源保持手段を移動させて使用する発振レーザー光源を切換えることを特徴とする。
２つのレーザー光源から夫々出射された二種類のレーザー光を一つの対物レンズに導くためには、ダイクロイックプリズム等の如く、複数の光路からの光線を途中で一つの光路に導く波長選択手段が必要となる。また、２つのレーザー光源を離間させると共に違った向きに配置する必要があり、光ピックアップを大型化させてしまう。本発明では、シーク手段により光ピックアップがシーク方向へ動作する際の動力を利用してレーザー光源保持手段を動作させ、この保持手段上に同一方向へ向けて２つのレーザー光源を隣接配置し、保持手段を光軸方向と直交する方向へ進退させることによって何れかのレーザー光源を光路上に選択的に切換え配置するようにした。このため、２つの光源を近接配置することによるコンパクト化、波長選択手段が不要となることによるコンパクト化、低コスト化を実現できる。
請求項６の発明は、請求項１乃至５において、前記押当部材に押当てて駆動する可動光学素子、或いは可動部品の少なくとも一つを、振り替わりバネにより付勢することを特徴とする。
シーク手段により光ピックアップをシーク方向へ移動させる際の動力を利用して可動光学素子を動作させる制御だけによって、可動光学素子の位置を完全に合わせることは難しい。記録領域の幅よりも余計に光ピックアップを駆動する必要があるので、なるべく少ない駆動量にて可動光学素子の状態が切換わることが望まれる。この発明では、振り替わりバネを利用して可動光学素子に所定の動作を行わせ、所定の停止位置にて正確に停止させることができるので、少ない駆動量にて可動光学素子を正確に動作させることが可能となる。
【０００７】
請求項７の発明は、請求項１乃至６において、前記シーク手段により前記光ピックアップを光記録媒体の内周方向または外周方向へ移動させて夫々前記押当部材に押当てさせることにより、前記可動光学素子の切換えを行うことを特徴とする。
光ピックアップを含むドライブ装置のレイアウトによっては、押当部材を二箇所に設けられないことも有り得る。この発明によれば、光記録媒体の内周側、或いは外周側の何れか一方に押当部材を設けるだけで、光ピックアップのシーク動作を動力とした可動光学素子の状態変化を導き出すことができる。即ち、可動光学素子、或いは可動光学素子を直接、間接的に作動させる可動部品を常に一方へ弾性付勢するとともに、光ピックアップのシーク方向への移動時に弾性付勢方向と逆方向へ可動光学素子、或いは可動部品を作動させることにより、最終的に可動光学素子の状態変化を得ることができる。
請求項８の発明は、請求項１乃至７において、可動部品を段階的に係止したり係止解除することができる多段階作動機構を備え、３段階以上の切換えが行えることを特徴とする。
記録層が三層以上ある場合、或いは三種類の規格に対応させる必要がある場合には、二段階の切換えだけでは足りない。このような場合に、可動光学素子の位置、回転角度等々の状態を３段階以上に切換えることにより、対応することが可能となる。
請求項９の発明は、請求項１乃至８において、前記光ピックアップを、光記録媒体の内周側の押当部材、或いは外周側の押当部材の何れに押当てたとしても、前記可動光学素子の状態切換えを行えることを特徴とする。
可動光学素子の状態を変化させるために、シーク手段により光ピックアップをその可動範囲の端から端まで移動させると時間のロスになる。そこで、外周側、内周側のどちらか近い方の端部にある押当部材に光ピックアップを当接させることで、光学的状態の切換えができるようにしておけば、切換え時間が短くなる。
【０００８】
請求項１０の発明は、請求項１乃至９において、前記シーク手段による広い動作範囲を粗動範囲とし、前記押当部材に近接した動作範囲を微動手段による微動範囲とし、前記シーク手段は、前記微動手段と共に該可動光学素子を駆動することを特徴とする。
シーク手段による駆動によって、光ピックアップ内の可動光学素子の大きな切換え動作を行うことはできるが、切換えの段数を多くして微動制御することができない。特に、開口数の高い対物レンズを使う規格の場合に球面収差が大きくなるので、１つの層での基板厚誤差を補償する必要がある。記録層間の切換や、異種規格ディスクに対応するためのレンズ駆動についてはシーク手段（粗動手段）による切換によって実現し、一つの記録層に対する基板厚誤差による補正については微小駆動手段（微動手段）によって微細に制御するようにした。このような機能は、シーク手段によって可動光学素子と共に微動手段を駆動することにより、最大効果を発揮することとなる。
請求項１１の発明は、請求項１乃至１０において、前記可動光学素子、及び前記可動部品の可動範囲を規制する調整機構を備えたことを特徴とする。
駆動部品（可動光学素子、可動部品）の停止位置を、組み付け時に調整できるようにしておかないと、光学的に必要性能を確保できず、必要な機能をはたせない。そこで、本発明は、駆動部品の停止位置を微調整する調整機構を用いることによって、所望の性能を確保し得るようにした。
請求項１２の発明は、請求項１において、複数の記録層を備えた光記録媒体の記録層を切換えて読取る前に、先の記録層上の記録情報を先行して読取る先行読取り手段と、先行して読取った記録情報を蓄える情報バッファ手段と、前記シーク手段による切換え動作の間に該情報バッファ手段から先行読取り情報を再生手段に転送する情報転送手段と、を備えたことを特徴とする。
読取りの対象となる記録層が変わる場合に、切換えに時間がかかるので、読取りが中断されてしまう。この発明によれば、読取り層を切換える直前に先行して読取りを行い、球面収差補正のためのシーク動作を行うための時間を確保するようにした。
【０００９】
【発明の実施の形態】
以下、本発明を図面に示した実施の形態により詳細に説明する。
図１（ａ）及び（ｂ）は本発明の光ディスクドライブ装置が備える光ピックアップと周辺の構成図、及び本発明の原理を説明する図である。図２は本発明の一実施形態に係る光ピックアップの概略構成を示す図である。
図１には、光ピックアップ１と、破線で示す光ディスク（光情報記録媒体）Ｄの中心孔を支持して回転駆動させるスピンドルモータ２と、光ピックアップ１のシーク方向（半径方向）への進退移動をガイドするためにベース上に平行に配置された一対のガイドレール３と、図示しないモータにより回転駆動されることにより光ピックアップ１をシーク方向へ駆動するネジ棒４と、光ディスクＤの記録領域（読取り・記録領域）Ａを越えたシーク方向両側に位置する退避位置Ｂに夫々固定配置された押当部材５と、を備えている。
光ピックアップ１は、両端部に位置する被ガイド部１０により各ガイドレール３と摺動的に係合することによりシーク方向へ安定して移動することができる。また、光ピックアップ１は、ネジ棒４に対して連結部材１１の雌ねじ部によって螺合することにより、回転するネジ棒４から駆動力を得てシーク方向へ移動する。このガイドレール３と、ネジ棒４、及び図示しないモータは、シーク手段Ｓを構成している。なお、シーク手段Ｓは、光ピックアップ１をシーク方向へ移動させる手段であればよく、その構造は図示のものに限られない。
また、光ピックアップ１は、後述するようにその内部に移動または回動可能に保持された可動光学素子を備えると共に、押当部材５は、光ピックアップ１が記録領域Ａを越えた退避位置Ｂに移動したときに光ピックアップ１の構成要素である可動光学素子に当接することにより、可動光学素子を直接または間接的に動作させる作動部材として機能する。そして、シーク手段Ｓにより退避位置Ｂに光ピックアップ１を移動させ、可動光学素子を直接または間接的に押当部材５により動作させることにより、光ピックアップ内の光学的条件を変更するようにした点が本発明の特徴である。この例では、光ピックアップのカバー１２の両側面に夫々設けた穴１２ａから各押当部材５の一部が入り込んで、内部の可動光学素子、或いは可動光学素子を作動させる手段に当接して作動させるように構成されている。
このように本発明は、光ピックアップ１のシーク方向駆動範囲を、記録再生に必要な範囲である記録領域Ａよりも広くしておくとともに、図１（ａ）に示すように記録領域Ａの外側の退避位置Ｂに押当部材５を設けておき、記録領域Ａ外に光ピックアップをシークさせ、押当部材５に当接したときに発生した動力によって、光ピックアップ内部の可動光学素子を移動または回動させることにより、光ピックアップ内の光学条件を変化させるようにしている。また、光ピックアップのシーク方向移動経路の両端側にある退避位置Ｂに夫々押当部材５を固定配置しているので、光ピックアップ１が一方の押当部材５に当接して内部の可動光学素子を一方へ変位させた場合には、その後光ピックアップを反対側へ移動させて反対側に位置する押当部材５に当接させることにより可動光学素子をもとの条件に戻すように構成しているので、特別なアクチュエータを設けることなく、光学条件の切換えと、初期状態への復帰が行える。つまり図１（ｂ）のように、読取り、記録に必要な移動範囲Ａよりも大きな可動範囲を設けておくことにより、光ピックアップ内の切換えを行えるようにする。
例えば、温度上昇による熱膨張により、部品形状が変わる等の不具合が出た場合は、シーク手段Ｓにより、補正手段を動作させるなどの利用方法がある。
【００１０】
次に、図２は本発明の一実施形態に係る光ピックアップの具体的構成を示す部品配列図であり、この光ピックアップ１は、波長が異なる記録、再生用のレーザー光を夫々出射するレーザーダイオードから成る光源２１ａ、２１ｂと、各光源２１ａ、２１ｂから出射されたレーザー光の光路上に配置され光学素子を有する。これらの光学素子は、各光源２１ａ、２１ｂから出射された波長の異なるレーザー光を夫々次段の光学素子に向けて透過、或いは反射させる膜を備えたビームスプリッタ２２、各レーザー光中の成分を並行光とするコリメートレンズ２３、各レーザー光を整形するビーム整形プリズム２４、球面収差補正レンズ２５、レーザー光を集光して光ディスクＤに照射する対物レンズ２５、光記録媒体Ｄからの戻り光を集光する集光レンズ２７、各戻り光を各光源光からのレーザー光を受光する光検出器２９ａ、２９ｂに受光させるビームスプリッタ２８と、から成る。なお、各光源２１ａ、２１ｂも光学素子の一つを構成している。
【００１１】
この実施形態では、球面収差補正レンズ２５を可動光学素子として、破線で示した有効位置と、実線で示した退避位置との間を直線的に進退可能に構成している。球面収差補正レンズ２５は、光ピックアップ１が図１に示したシーク手段Ｓによって記録領域Ａを越えて退避位置Ｂへ移動したときに、球面集散補正レンズ２５が直接、或いは間接的に退避位置Ｂ内に配置した押当部材５に当接して、有効位置から退避位置へ移動したり、或いは退避位置から有効位置に移動することができるように構成されている。
即ち、図２の実施形態では、光ディスクＤの規格の違いや、肉厚内に複数の記録層を備えた光ディスクＤに対応するために球面収差補正用レンズ２５を光路中に挿入することにより、球面収差の補正を行うものであり、例えば特開平８−２１２５８３号公報に開示されている。
なお、図２に示した光ピックアップ１の部品配置例は一例に過ぎず、使用する光学部品の種類、その配置は、種々変更可能であり、図示の構成に限定される訳ではない。
図３（ａ）及び（ｂ）は球面収差補正用レンズ２５を進退自在に支持するための可動支持機構３０の一例を示す斜視図であり、この可動支持機構３０は、可動光学素子としての球面収差補正レンズ２５を支持するレンズ枠３１と、レンズ枠３１を矢印Ｃで示す直線的な進退方向（この場合は、シーク方向と平行な方向）へガイドするガイドポール３２とを備えている。
シーク手段Ｓによって光ピックアップ１を一方の退避位置Ｂに移動させて、押当部材５によってレンズ枠３１を直接、或いは間接的に押すことによって、図３（ａ）に示す光路中にあった補正レンズ２５はガイドポール３２に沿って一方へ移動し、光路から退避できる。また、補正レンズ２５を光路中に挿入させるためには、光ピックアップ１をシーク手段Ｓによって反対側へ移動させて、反対側の退避位置Ｂにある押当部材５にレンズ枠３１を当て付けて、レンズ枠を光路に押し出すことにより、図３（ａ）のように移動させる。
【００１２】
次に、図４（ａ）及び（ｂ）は、夫々図３の実施形態の変形例であり、これらの実施形態では、可動支持機構３０として、レンズ枠３１を間接的に移動させる間接移動機構３５を備え、間接移動機構を押当部材５により押圧することにより、間接的にレンズ枠３１をガイドポール３２に沿って進退させるようにしている点が特徴的である。間接移動機構３５は、図示しないベースにより矢印方向Ｄへ進退可能に支持された伝達部材３６と、図示しないベースに設けた回動軸３７ａを回動中心として回動するレバー３７と、を備え、レバー３７の両端部には夫々嵌合凹所３７ｂを設けて、伝達部材３６とレンズ枠３１に夫々設けた嵌合突起３６ａ、３１ａと遊嵌させている。
図４（ａ）と（ｂ）の実施形態の違いは、レバー３７の形状にあり、（ａ）のレバー３７は直線状の細幅帯状の板材であり、（ｂ）のレバー３７はく字形の板材である。
即ち、図３の実施形態の如く、補正レンズ２５を光路の内外に進退させる際にレンズ枠３１に求められる移動量を、そのままシーク手段Ｓで移動させようとすると、シーク距離が長くなり、大型化せざるをえないので、図４（ａ）のように伝達部材３６に押当部材５からの力を伝え、レバー３７を介して、シーク手段Ｓによる移動量を拡大させて補正レンズ２５を移動させるようにしてもよい。またシーク方向と補正レンズ２５の移動方向が異なる場合には、図４（ｂ）のようにレバーの形状を変えることで対応させることができる。
【００１３】
次に、図５（ａ）は本発明の他の実施形態に係る可動光学素子を備えた光ピックアップの部品配置例であり、（ｂ）（ｃ）は可動支持機構３０（間接移動機構３５）の構成例を示す図である。
即ち、前記特許第３２２３０７４号に記載の技術では、補正レンズを光路から退避させるのではなく、図５（ａ）の如く光路内で回転させ、超解像現象を起させる方法が提案されている。特許第３２２３０７４号では、コイルによって、補正レンズを回動する機構が例示されているが、本実施形態では、ドライブ装置内に挿入された光ディスクの種類の違い、例えばＤＶＤかＣＤかを判別した後で、必要に応じて（切換えの必要があれば）、シーク手段Ｓを作動させて光ピックアップ１を一方へ移動して押当部材５に当て付けることにより、補正レンズ２５の回転を行うので、専用アクチュエータを必要としない。
即ち、図５（ｂ）（ｃ）の可動支持機構３０は、球面収差補正レンズ２５を支持したレンズ枠３１から延びた軸３１ｂをベースにより回転自在に支持するとともに、軸部３１ｂから横方向へ突設したアーム３１ｃに設けた嵌合突起３１ａをレバー３７に設けた嵌合凹所３７ｂに遊嵌させている。間接移動機構３５の構成は図４（ａ）或いは（ｂ）と同様であり、レバー３７の中間部を軸３７ａにより回動自在に支持すると共に、押当部材５により矢印方向へ移動させられる伝達部材３６に設けた嵌合突起３６ａをレバー３７の他端に設けた嵌合凹所３７ｂに遊嵌する。
これによれば、シーク手段Ｓによって光ピックアップ１が一方の退避位置Ｂに移動したときに当該位置にある押当部材５が伝達部材３６に当接してこれを一方へ移動させることにより、レバー３７は軸３７ａを中心として一方へ回動し、これによりレンズ枠３１に設けた嵌合突起３１ａが回転方向への力を受けて、軸部３１ｂを中心としてレンズ枠３１を回動させる。レンズ枠を逆方向へ回転させるためには、シーク手段Ｓによって光ピックアップを他方の押当部材５に当接させればよい。なお、図５（ｂ）は補正レンズ２５が光軸Ｌと直交した状態を示しており、（ｃ）はレンズが光軸Ｌと平行になった状態を示している。
【００１４】
次に、対物レンズ２６への入射光の球面収差を調整する方法として、特開平１１−２５９８９３号公報にはコリメータレンズを光軸方向に進退させる方法が開示され、特開２０００−１３１６０３公報にはビームエキスパンダレンズの間隔を換える方法が提案されている。しかし、何れの従来例も、光学部品を光軸方向へ移動するために、専用アクチュエータを必要とするため、光ピックアップの大型化、コストアップを避けることができない。
これに対して、図６に示した本発明の他の実施形態では、レンズ等の可動光学部品の光軸方向に沿った位置をシーク手段Ｓを用いて変位させることにより、専用アクチュエータを不要とし、その結果、大型化、コストアップを回避することができる。
例えば、図６に示した可動支持機構３０は、可動光学部品としての何れかのレンズ４０をレンズ枠４１により支持した構成を備え、レンズ枠４１はレンズ４０の光軸がレーザー光の光軸Ｌと一致する位置に配置されるとともに、ガイドポール４５によってレンズ枠外周に設けた被ガイド部４１ａが光軸と平行な方向へのみ進退するように構成されている。
【００１５】
また、間接移動機構３５は、光軸方向と直交する方向Ｄへ進退自在に支持されたカム部材５０と、カム部材５０のカム部５１と係合するためにレンズ枠４１から突設した突起４２（カムフォロア）と、を備えている。カム部材５０は、例えば図示の如き板材の一端縁に沿って突起状のカム部５１を設け、このカム部５１に対してレンズ枠４１の突起４２が圧接するように弾性付勢されている。従って、カム部材５０の矢印Ｄ方向への進退移動によって突起４２はカム５１に追随して光軸方向へ進退し、その結果、レンズ枠４１はガイドポール４５に沿って同方向へ進退することができる。
カム部材５０は、シーク手段Ｓの駆動によって光ピックアップ１が退避位置Ｂに移動して押当部材５に当接して押圧されることにより、Ｄ方向への位置がずれるため、レンズ枠４１を光軸方向に進退させることができる。このとき、図示しない圧縮コイルバネ等を用いてレンズ枠４１を矢印Ｅ方向に付勢する。図６の例ではカム機構による駆動構造について例示してあるが、図４のようにレバーを使って光軸方向に駆動するようにしてもよい。駆動方向とシーク方向が同じであれば、直接的にレンズ枠を押してもよい。
レンズ４０を光軸方向に移動させる利点は、後述するように微小駆動手段と組み合わせることにより、光ディスク上の一つの記録層に対する基板厚誤差補正にも対応できる。また、可動光学素子としてコリメータレンズを駆動する方式にすれば、光学部品の増加を招かない。
【００１６】
次に、光ディスクＤの規格によって、読取り、記録を行うためのレーザー波長は異なる。そのために異なるレーザー発振手段（レーザーダイオードを）備えて、一つの光ディスクドライブ装置によって複数規格の光ディスクを記録再生できるようにしている。その多くは、図２のダイクロイックプリズムなどの波長選択手段を備え、複数の方向から投射されるレーザー光を同一の対物レンズに導き、記録面にスポットを結ばせる。この場合、波長選択手段が必要となり、ダイオード配置のために大きなスペースが必要となる。そこで、本発明では、図７（ａ）（ｂ）のように、複数のレーザーダイオード（光源）２１ａ、２１ｂを一つの保持手段６０によって保持し、各光源２１ａ、２１ｂを保持手段６０によって光軸Ｌと直交する方向Ｆに一括移動できるようにしておく。即ち、シーク手段Ｓを退避位置Ｂに移動させたときに作動する押当部材５によって、保持手段６０を方向Ｆに進退させることにより、読取りや記録に使う光源２１ａ、２１ｂを選択的にコリメータレンズ２３の後方の光軸上に移動させ発光させる。なお、この例では、使用する波長の違いに応じて光源２１ａ、２１ｂとコリメータレンズ２３との光軸方向位置が異なるように、各光源２１ａ、２１ｂの光軸方向位置をずらして構成されている。
【００１７】
図８（ａ）及び（ｂ）は図７の変形例の光学部品の配置図、及び可動支持機構の具体的構成図であり、光源２１ａ、２１ｂ（レーザーダイオード）の切換えと同時に、前述の球面収差補正レンズ２５を光軸に対して進退（直線移動、或いは回動、回転）させて、調整を行うようにしてもよい。即ち、この例では、保持手段６０上における光源２１ａ、２１ｂの光軸方向位置を一定に保持すると共に、球面収差補正レンズ２５による補正を可能としている。
即ち、使用する波長によって光源２１ａ、２１ｂとコリメータレンズ２３との位置が異なる場合にはスペース効率が悪くなるので、図８（ａ）のように、それぞれの光源２１、２とコリメータレンズ２３との距離を略同距離となるようにしておき、図８（ｂ）のように使用する光源の切換えと同時に球面収差の補正と距離補正をかねた補正レンズ２５の位置切換えができるようにしてもよい。
即ち、図８（ｂ）に示した可動支持機構３０は、レンズ２５を保持したレンズ枠３１をガイドポール３２により矢印Ｃ方向へ進退させるのに際して使用するレバー３７（間接移動機構３５）を使用して、保持手段６０をガイドポール６５に沿って進退させるようにしている。即ち、軸３７ａを中心として回動自在に支持されたレバー３７の一端にはレンズ枠３１が可動状態に保持され、レバー３７の他端には保持手段６０の突起６１が可動状態に保持されている。また、レバー３７の適所に設けた長穴３７ｃには、伝達部材３６に設けた突起３６ｂが遊嵌している。従って、シーク手段Ｓを作動させて光ピックアップ１を一方の退避位置Ｂに移動させることにより、伝達部材３６が一方の押当部材５に当接して矢印Ｄ方向の一方へ移動される。この際、軸３７ａを中心として、レバー３７が回動し、レンズ枠３１を図示の光軸Ｌと合致する位置に移動させると共に、光源３６ｂを光軸Ｌと合致する位置に移動させる。逆方向へ光ピックアップが移動して他方の退避位置Ｂに移動した場合には、伝達部材３６は他方の押圧部材５に当接して矢印Ｄ方向の一方へ移動される。この際、軸３７ａを中心としてレバー３７が逆方向へ回動し、レンズ枠３１を光軸Ｌと合致しない位置に移動させると共に、光源３６ｂを光軸Ｌと合致しない位置に移動させる。
補正レンズ２５の切換え方法としては、補正レンズ２５の光軸からの挿脱を行ってもよいし、先に説明したように、補正レンズの回転や、光軸方向への移動による切換えであってもよい。
【００１８】
次に、図９（ａ）（ｂ）及び（ｃ）は可動光学素子を光軸Ｌと直交する方向へ進退させる可動支持機構３０の他の構成例を示す略図である。即ち、この可動支持機構３０は、可動光学素子としてのレンズを支持するレンズ枠３１を光軸Ｌと直交するＣ方向へ移動させる構成例を示しており、レンズ枠３１の移動方向である矢印Ｃ方向両側には夫々ストッパ７０ａ、７０ｂが固定配置されており、振り替わりバネ（ねじりコイルバネ）７１の一端７１ａをベース上に突設された回動軸７２に回動自在に支持する。また、振り替わりバネ７１の他端７１ｂはレンズ枠３１に設けた突起３１ｄに回動自在に支持される。即ち、レンズ枠３１が、回動軸７２を中心とした振り替わりバネ７１の動作によって、２つストッパ７０ａ、７０ｂと当接する位置（係止位置）に押し当てられるように構成する。
振り替わりバネ７１がねじりコイルバネである場合についてその動作を説明する。まず、レンズ枠３１が保持したレンズの光軸が光軸Ｌと一致している場合には、ねじりコイルバネ７１の両腕は押し縮められ、図９（ａ）のようにレンズ枠３１を右側のストッパ７０ｂに押し当てるように作用している。シーク手段Ｓの作動によってレンズ枠３１が図示しない押当部材５により、左側に押されるとまず図９（ｂ）のように中立点に達し、それをわずかに過ぎると、バネ自体の弾発力により拡開してレンズ枠３１を左側に押し始め、レンズ枠を他方のストッパ７０ａに押し当てる（図９（ｃ））。レンズ枠が右側に押されるときも同様な動きをする。
【００１９】
シーク手段は、中立点を超えて、バネの力が逆向きに作用するまで移動させればよく、端から端までシーク手段によって動かす必要はない。そのため切換えのためのシーク移動量を少なくできる。
この場合、光軸方向と直交する向きに補正手段としてのレンズを支持したレンズ枠３１を移動する場合について述べたが、同様の構成の可動支持機構３０によって、ダイオード（光源）を駆動させてもよく、ストッパ７０ａ、７０ｂとバネ７１の位置を変えれば光軸方向の駆動に対応させることもできる。
シーク手段Ｓにより光ピックアップ１をシーク方向へ移動させる際の動力を利用して可動光学素子を動作させる制御だけによって、可動光学素子の位置を完全に合わせることは難しい。記録領域の幅よりも余計に光ピックアップを駆動する必要があるので、なるべく少ない駆動量にて可動光学素子の状態が切換わることが望まれる。
この実施形態では、振り替わりバネを利用して可動光学素子に所定の動作を行わせ、所定の停止位置にて正確に停止させることができるので、少ない駆動量にて可動光学素子を正確に動作させることが可能となる。
次に、引張りコイルバネを使用して可動光学素子（レンズ枠３１）を回動させる場合を図１０に示す。ここで用いられる間接移動機構３５は、レンズ枠３１の軸３１ｅにより一端を回動自在に支持されたレバー７６と、レバー７６を一方に付勢する引張りコイルバネ７５と、伝達部材７７と、を備えている。伝達部材７７は、押当部材５に直接当接することにより、或いは図４、図５に示した如き伝達部材３６（図示せず）からの駆動力により、矢印Ｇ方向へ回動し、バネ７５に抗しながら、軸３１ｅを中心としてレバー７６を回動させる。伝達部材７７の先端には嵌合凹所７７ａを備え、嵌合凹所７７ａをレバー７６の嵌合突起７６ａに遊嵌させることにより、図１０（ａ）（ｂ）に示した如く、レンズ枠３１を回動させて、保持したレンズを光軸Ｌと直交させたり、或いは平行にさせる動作を実現できる。
レンズ枠３１の回動範囲の限界は、各ストッパ７０ａ、７０ｂにレバー７６が当接することによって定められる。
まず、レンズ枠３１が保持したレンズが光軸Ｌと直交する位置にある場合には、引張りバネ７５によってレバー７６は右側ストッパ７０ｂに押し当てられている。シーク手段Ｓの作動によって押当部材５と当接することによって、レバー７６が伝達部材７７により時計周りに回転され、バネの中立点を超えると、バネ７５はレバー７６を時計周り方向に引っ張り、反対側のストッパ部材７０ａに押し当てる。このため、レンズ枠３１は図１０（ｂ）の状態に移行することができる。伝達部材７７が反対側へ作動して、レバー７６が反時計周りに回転させられたときも同様に作用する。
【００２０】
次に、図１１は本発明の他の実施形態に係る可動支持機構８０の構成を示す分解斜視図であり、この可動支持機構８０の一部を可動光学素子に一体化することにより、可動光学素子を所定の軌跡に沿って進退移動させるものである。
この可動支持機構８０は、光ピックアップ、或いは光ディスクドライブ装置の適所に固定されるガイド部材８１と、ベース部材８１によってガイドされて移動すると共に可動光学素子を支持する可動部材８２と、を備えている。
ガイド部材８１は、板状のベース８５と、ベース８５に貫通形成したキー溝（スリット）８６、及びガイド溝（ガイド穴）８７と、を備えている。キー溝８６は可動光学素子の移動経路を定めるガイド溝（長穴）であり、ガイド溝８７の一辺８７ａはキー溝８６とほぼ平行配置されており、他辺８７ｂは場所によって一辺８７ａとの間隔が一定ではない。即ち、ガイド溝８７は、長手方向両端部に幅の広い係止溝８８ａ、８８ｂを有すると共に、両係止溝８８ａ、８８ｂを連結する中間部に細幅で均一幅のスライド溝８８ｃを有している。更に、ベース８５の背面には、図示の如く傾斜した案内壁８９が突設されている。
可動部材８２は、ベース８５の背面側からキー溝８６内に嵌合して長手方向へ移動可能なキー９１を備えた可動本体９０と、可動本体９０の上部適所から一方向へ湾曲（或いは屈曲）して突設された板バネ状のバネ部９２と、バネ部９２の先端部に一体化された係止部９３と、を備えた一体成形品である。
可動本体９０は、例えば、それ自体をレンズ枠等の可動光学素子の保持部材とする。係止部９３は、ガイド溝８７内に係合して移動したり、ガイド溝８７から離脱する。係止９３がガイド溝８７から離脱したときには、背面側の案内壁８９に係合可能な位置関係に設定されている。
【００２１】
図１２（ａ）乃至（ｆ）は、可動支持機構８０の動作説明図であり、この可動支持機構８０は、図１に示したシーク手段Ｓによって光ピックアップ１がシーク方向へ移動して退避位置Ｂにある押当部材５に当接したときに、可動支持機構８０が押当部材５によって駆動力を受けて作動するように構成されている。なお、この例では、可動支持機構８０の一方向への作動のみを押当部材５により実現し、他方への作動は付勢部材によって復帰させることによって実現しているので、押当部材５は一個だけ設ければよい。
まず、図１２（ａ）乃至（ｆ）では、可動部材８２を構成するキー９１がガイド部材８１のキー溝８６内に背面側から遊嵌して長手方向へ進退自在に支持されている。また、バネ等の図示しない弾性付勢部材により可動部材８２を常時矢印Ｈで示す付勢方向へ付勢している。例えば、可動本体９０が図１２（ａ）の位置にあるときに可動本体が保持する可動光学素子が光軸内に位置し、図１２（ｃ）に位置にあるときに可動本体が保持する可動光学素子が光軸外へ退避する。
この実施形態では、押当部材５は一つでよく、また押当部材５と光ピックアップ（可動光学素子、或いは可動部品）との当接は、２段階で行われる点が特徴的である。
【００２２】
まず、図１２（ａ）の状態で、シーク手段Ｓの作動によって光ピックアップ１が一方向へ移動すると、可動本体９０が直接、或いは間接的に押当部材５に当接して弾性付勢方向Ｈと逆の方向へ所定距離分だけ押圧することにより、可動部材８２は全体として逆方向へ所定距離だけ移動することができる。付勢部材による付勢方向Ｈとは反対側へ向けて可動部材８２が押されると、図１２（ｂ）のように当初係止溝８８ａ内に位置していた係止部９３がスライド溝８８ｃを通って移動し、図１２（ｃ）のように、別の係止溝８８ｂに嵌り、押当部材５によって押し当てられ保持される。この状態では、バネ部９２の拡開力によって係止部９３が係止溝８８ｂ内に係止された状態となり、この状態において可動光学素子は状態変化を完了する。従って、これ以上押当部材５が可動本体９０を押し込まない限り、可動光学素子の状態は変化せず、この状態で光ピックアップを機能させることができる。
次いで、可動光学素子の状態を図１２（ａ）に対応する初期状態に戻したい場合には、更に可動部材８２を押当部材５に対して更に押し込む。すると、バネ部９２を介して取り付けられた係止部９３は図１２（ｄ）に示すようにベース８５の背面側へ潜り、もともと押し縮められたバネ部９２は規制がなくなり、バネ部９２の先端の係止部９３はバネ部の広がり方向に移動する。バネ部９２が開いた状態で、弾性付勢手段により可動部材８２が押し戻されるので、図１２（ｅ）のように溝部８７に係かることなく押し返され、図１２（ｆ）のように下向きに傾斜した案内壁８９に沿ってガイドされ、係止部９３は係止溝８８ａ内に戻って来る。なお、係止部９３は傾斜面９３ａを有しているので、図１２（ｃ）から（ｄ）に移行する過程で、この傾斜面９３ａが溝部８７から離脱し易くしている。
なお、図中の可動本体９０は、可動光学素子としてのレンズを保持するレンズ枠や、可動光学素子としてのレーザー光源の保持部や、保持部に力を伝える部材等の可動部品として利用すれば、単一の押当部材５による一方向からの２段階にわたる押当てだけで、球面収差補正や、レーザー光源の位置の切換えが行えることになる。
【００２３】
次に、図１３は図１１の可動支持機構８０を構成するガイド部材８１の変形例であり、ガイド溝８７の形状が図１１の実施形態と異なっている他は同様である。即ち、このガイド溝８７は、長手方向両端部に幅の広い係止溝８８ａ、８８ｂを有すると共に、中間部に係止溝８８ｄを有し、各係止溝８８ａ、８８ｂ、８８ｄを連結する中間部に細幅で均一幅のスライド溝８８ｃを有している。更に、ベース８５の背面には、図示の如く傾斜した案内壁８９が突設されている。図示しないがキー溝８６も設けられている。これによれば、３段階の切換えを行うことが可能となり、可動光学素子を３つの位置、角度に変位させることが可能となる。
【００２４】
次に、図１４は図１１に示した可動支持機構８０の変形例である。即ち、図１１の例では、弾性付勢手段を併用することにより一つの押当部材５により、可動部材８２の往復の切換制御を行えるようにしていたが、図１のスピンドルモータ２によって支持された光ディスクＤの内周側でも、或いは外周側でもいずれか近い方で切換えができるようにするため、図１４のようにベース８５により回動軸１００ａを回動自在に支持されたレバー部材１００と、シーク手段Ｓの駆動により一方の押当部材５に当接した時に発生する駆動力をレバー部材１００に伝える伝達部材１０５をＩ方向へ進退可能に設けておき、一方の押当部材５からの押圧による切換えは、伝達部材１０５、レバー部材１００を介して切換えを行うようにする。また、可動本体９０から他の伝達部材１０６を伝達部材１０５と反対方向へ突出させておき、この伝達部材１０５を他方の押当部材５により矢印方向へ押した場合には直接可動部材８２を作動させて切換えができるように構成する。なお、符号１０５ａ、１０６ａは嵌合突起であり、１００ｂは、各嵌合突起に嵌合する嵌合凹所である。
【００２５】
次に、図１５は本発明の他の実施形態に係る可動支持機構とシーク手段による可動光学素子の駆動方法を示す図である。この実施形態では、可動光学素子を押当部材５へ移動させる際には、微動手段としての図示しないムービングコイルを用いて微動させる。
即ち、この例では、粗動手段をシーク手段Ｓに担わせて、微動手段を別に設けたムービングコイルに担わせる。ムービングコイルは微小な駆動制御はできるものの、大きな駆動範囲を得ようとすると長い磁石が必要となり、コストアップになってしまう。そこで、図１５に示すように大きな駆動範囲についてはシーク手段Ｓにより駆動を行い、押当部材５に近接した範囲における微動だけをムービングコイルにより行わせるようにしたものである。
即ち、この実施形態では、ムービングコイルにより駆動する可動光学素子（例えば、レンズユニット）をシーク手段Ｓにより移動させるようにして、記録層間の切換えや、異種規格ディスクに対応するためのレンズ駆動は、シーク手段による切換えによって行い、一つの層に対する基板厚誤差による補正を微小駆動手段によって行うようにする。つまり図１５のように全可動範囲を微細に制御する必要がなくなる。
【００２６】
次に、図１６（ａ）及び（ｂ）は本発明の他の実施形態に係る可動支持機構の要部（多段階作動機構）構成説明図である。この実施形態の構成は、押当部材５により直接又は間接的に押圧されることによって、直線的に移動して可動光学素子を移動させる可動部品に適用可能である。即ち、例えば、図３、図８（ｂ）、図９に示したレンズ枠３１、図４、図５に示した伝達部材３６、図６のカム部材５０、図７、図８の光源保持部６０、図１２の可動部材８２、図１５の伝達部材１０５に対する適用が可能である。
この多段階作動機構１１０は、一列に配列された鋸刃状の係止爪１１２を複数備え矢印Ｊ方向に弾性付勢された可動部１１１と、先端に回動可能なラチェット爪を備え軸１１５ａを中心として矢印Ｋ方向に回動付勢されたレバー１１５と、レバー１１５を係止するストッパ１１７と、を備えている。可動部１１１は図示しない弾性付勢手段による矢印Ｊ方向への付勢力に抗してシーク手段Ｓによって矢印Ｊ‘方向へ移動すると、図１６（ｂ）のようにラチェット爪１１６が係止爪１１２の一つを乗り上げ、次の係止爪１１２に係かる。そのため、係止爪１１２の数だけ多段階にわたって、可動部１１の位置を調整でき、可動部１１１によって作動させられる可動光学素子の位置を多段階で調整できる。可動部１１１を初期位置に戻す場合は、図１６（ｃ）のようにシーク手段Ｓを反対方向へ作動させて、光ピックアップ１を反対側の押当部材５に当てつけることによって、矢印Ｋ’方向にレバー１１５を押す。これによって、ラチェット爪を供えたレバーは軸１１５ａを中心として弾性付勢力と反対方向に回転する。するとラチェット爪１１６により止められていた可動部１１１は、可動部１１１に働く付勢力によって矢印Ｊ方向に移動し、初期位置に戻される。
なお、図１６では、レバー１１５の先端にラチェット爪１１６を設けた例を示したが、爪形状を種々考慮することにより、レバーと爪を一体にして、レバーの回動付勢力でラチェット機構の働きとすることも可能である。
【００２７】
次に、図１７（ａ）は可動支持機構における可動部品の可動範囲（位置調整、傾き調整）を任意の範囲に規制するための調整機構１２０の一例を示す斜視図であり、（ｂ）はこの調整機構１２０は図１１、図１３、図１４のガイド部材８１に適用した例を示す図である。
即ち、この調整機構１２０は、可動支持機構を一つの切換ユニット部として独立に組立て、光ディスクドライブ装置のキャリッジに取り付けるときに、切換ユニット部の可動部品の位置調整や傾き調整ができるようにする。
また、ユニットの状態でも、各可動部品の係止位置の調整ができるようにしておく。例えば図１７（ａ）では、ネジ１２１で可動部品を係止するストッパ１２２の取り付け位置の調整を行えるようにしておく。ネジ１２１を締めれば矢印方向に移動し、緩めればばね１２３に押されて反対方向に駆動させることができる。ストッパ１２２は、調整が終わった後に基部１２４上に接着固定すればよい。このストッパ１２２は、例えば図３、図８（ｂ）、図９に示したレンズ枠３１、図４、図５に示した伝達部材３６やレバー３７、図６のカム部材５０、図７、図８の光源保持部６０、伝達部材３６、レバー３７、図１２の可動部材８２、図１５の伝達部材１０５等の可動部品に対する適用が可能である。
図１７は、調整機構１２０を用いて、図１１等に示したガイド部材８１によるガイド範囲の調整方法を示したものであり、ねじの調整で、駆動量を調整できる。この例では、係止溝８７の一端寄りに相当するベース８５の端部に調整機構１２０を固定することにより、可動部材８２の可動範囲を調整している。
具体的には、ストッパ１２２に設けた長穴１２２ａをベース８５に設けた突起１２５に遊嵌してストッパ１２２を矢印方向へ進退可能に支持すると共に、ベース８５に設けたネジ支持部１２６に挿通したネジ１２１を回転させることによってストッパ１２２の位置を調整し、調整完了後にベース８５にストッパ１２２を固定する。ストッパ１２２の一部（裏面に突設した突起１２２ｂ）を係止溝８７の一端内に嵌合させることにより、可動部材８２の可動範囲を規制することができる。
次に、光ピックアップ１により、多層構造の光ディスクＤの一つの記録層に対する読取りを行ってから、他の記録層に移行するときは、切換えのためにシーク手段Ｓによって光ピックアップを退避位置Ｂに移動させて、そこに位置する押当部材５に押当てて可動光学素子（例えば、補正レンズ）を動作させる必要がある。しかし、そのために読取り動作が中断してしまうと、複数の記録層に跨った連続する記録情報の読取りが中断して不都合であるため、本発明では、記録層を切換える直前に、先の記録層上の最終記録情報の読取りを行い、この情報を記憶しておき、切り換え動作の時間中にこの情報を読み出して再生することにより、読取り情報の中断を防止する。つまり、球面収差補正のためのシーク動作を行うための時間を稼ぐようにしている。
【００２８】
即ち、本実施形態では、上記機能を実現するために、図１８に示すように、制御部１３０と、複数の記録層を備えた光記録媒体の記録層を切換えて読取る前に、先の記録層上の記録情報を先行して読取る先行読取り手段１３１と、先行して読取った記録情報を蓄える情報バッファ手段１３２と、シーク手段Ｓによる切換え動作の間に該情報バッファ手段１３２から先行読取り情報を再生手段１３４に転送する情報転送手段１３３と、を備えた回路構成を採用する。
【００２９】
【発明の効果】
以上のように本発明によれば、光記録媒体の種類に応じて光学素子の配置等の光学的な条件を切換えることによって、記録再生用の波長、基板厚等々が異なる異種規格のディスク状記録媒体に対応できるようにした光ピックアップを備えた光ディスクドライブ装置において、光学素子を光路上から進退可能、回動可能、光軸方向に進退可能に構成する際に、装置の大型化、高コスト化を招く原因となる格別の駆動手段、アクチュエータを設けることなく、光学素子の移動を可能とすることができる。
即ち、請求項１の発明によれば、特別な切換えアクチュエータを追加せずに、光学的条件の機械的切換えができるので、コストアップ、機器の大型化を防止できる。
請求項２の発明によれば、特別な切換アクチュエータを追加せずに、球面収差補正レンズなどの補正手段を操作できる。
請求項３の発明によれば、レンズ等の補正手段を光路内で回転させることにより光学的状態を変化させるようにしたので、レンズ側面を利用した超解像現を起すことができ、球面収差補正を行うことができる。しかも、回転するだけであるので、格別なスペースを必要とせず、大型化の懸念がない。
請求項４の発明によれば、可動光学素子を光軸方向へ移動させてレンズ間隔を変えることにより球面収差補正を行う補正手段のために、特別な駆動アクチュエータが不要となる。
請求項５の発明によれば、異種規格の光記録媒体に対して互換性を持たせるために、波長の違うレーザー光源に切換えるための機構を設けるためのスペースを小さくできる。
請求項６の発明によれば、可動光学素子、或いはこれを動作させるための可動部品を振り替わりバネにより付勢するので、中立点を超えるところまで動かすだけで、切換わるので、切換えのためのシーク距離を短くすることができる。
請求項７の発明によれば、片側のみにしか押当部材を設けられない場合であっても、可動光学素子の光学状態の切換えが行える。
請求項８の発明によれば、段階的に係止位置を設けることにより、３段階以上の切換位置を設けることができる。
請求項９の発明によれば、周の内側でも外側でも、近い方で切換えができるので、切換時間を短くすることができる。
請求項１０の発明によれば、粗動手段と微動手段を分けることでエネルギーを節約することができる。また、微動手段の負担を軽くすることができる。
請求項１１の発明によれば、組み付け時に可動光学素子の状態を微調整するための調整機構を設けて調整可能とすることにより、光ピックアップとしての機能を保たせることができる。
請求項１２の発明によれば、ビデオデータを再生する場合、読取り層の切換えの時に、画像や音声が途切れてしまうのを防ぐことができる。
【図面の簡単な説明】
【図１】（ａ）及び（ｂ）は本発明の光ディスクドライブ装置が備える光ピックアップと周辺の構成図、及び本発明の原理を説明する図。
【図２】本発明の一実施形態に係る光ピックアップの概略構成を示す図。
【図３】（ａ）及び（ｂ）は球面収差補正用レンズを進退自在に支持するための可動支持機構の一例を示す斜視図。
【図４】（ａ）及び（ｂ）は、夫々図３の実施形態の変形例の説明図。
【図５】（ａ）は本発明の他の実施形態に係る可動光学素子を備えた光ピックアップの部品配置例であり、（ｂ）（ｃ）は可動支持機構（間接移動機構）の構成例を示す図。
【図６】本発明の他の実施形態の説明図。
【図７】（ａ）及び（ｂ）は本発明の他の実施形態の構成説明図。
【図８】（ａ）及び（ｂ）は図７の実施形態の変形例を示す図。
【図９】（ａ）乃至（ｃ）は、本発明の他の実施形態の構成及び動作説明図。
【図１０】（ａ）及び（ｂ）は、本発明の他の実施形態の構成及び動作説明図。
【図１１】本発明の他の実施形態の構成説明図。
【図１２】（ａ）乃至（ｆ）は、図１１の実施形態の動作説明図。
【図１３】本発明の他の実施形態の要部構成説明図。
【図１４】図１１の実施形態の変形例を示す図。
【図１５】本発明の他の実施形態の動作原理を説明する図。
【図１６】（ａ）（ｂ）及び（ｃ）は本発明の他の実施形態の構成及び動作説明図。
【図１７】（ａ）及び（ｂ）は本発明の他の実施形態の構成説明図。
【図１８】本発明の他の実施形態を実現するための回路構成例を示すブロック図。
【符号の説明】
１　光ピックアップ、２　スピンドルモータ、３　ガイドレール、４　ネジ棒、５　押当部材、Ｄ　光ディスク、Ａ　記録領域（読取り・記録領域）、Ｂ　退避位置、１０　被ガイド部、１１　連結部材、Ｓ　シーク手段、１２　カバー、１２ａ　穴、２１ａ、２１ｂ　レーザー光源、２２　ビームスプリッタ、２３　コリメートレンズ、２４　ビーム整形プリズム、２５　球面収差補正レンズ、　２６　対物レンズ、２７　集光レンズ、２８　ビームスプリッタ、２９ａ、２９ｂ　光検出器、３０　可動支持機構、３１　レンズ枠、３２　ガイドポール、３５　間接移動機構、３６　伝達部材（可動部品）、３７　レバー（可動部品）３７ａ　回動軸、３７ｂ　嵌合凹所、４０　レンズ、４１　レンズ枠、４２　突起、５０　カム部材、５１　カム部、６０　保持手段、７０ａ、７０ｂ　ストッパ、７１　振り替わりバネ、７５　引張りコイルバネ、７６　レバー、７７　伝達部材、８０　可動支持機構、８１　ベース部材、８２　可動部材、８５　ベース、８６　キー溝（スリット）、８７　ガイド溝（ガイド穴）、８８ａ、８８ｂ　係止溝、８８ｃ　スライド溝、９０　可動本体、９１　キー、９２　バネ部、１２０　調整機構、１２１　ネジ、１２２　ストッパ、１２３　ばね、１２４　基部、１３０　制御部、１３１　先行読取り手段、１３２　情報バッファ手段、１３３　情報転送手段、１３４　再生手段。
【図１】
2004118879.tif 000003
【図２】
2004118879.tif 000004
【図３】
2004118879.tif 000005
【図４】
2004118879.tif 000006
【図５】
2004118879.tif 000007
【図６】
2004118879.tif 000008
【図７】
2004118879.tif 000009
【図８】
2004118879.tif 000010
【図９】
2004118879.tif 000011
【図１０】
2004118879.tif 000012
【図１１】
2004118879.tif 000013
【図１２】
2004118879.tif 000014
【図１３】
2004118879.tif 000015
【図１４】
2004118879.tif 000016
【図１５】
2004118879.tif 000017
【図１６】
2004118879.tif 000018
【図１７】
2004118879.tif 000019
【図１８】
2004118879.tif 000020